Podtech/llm-jp-corpus-v4-ja_patent huggingface dataset:
【手続補正書】
【提出日】平成18年10月13日(2006.10.13)
【手続補正１】
【補正対象書類名】明細書
【補正対象項目名】特許請求の範囲
【補正方法】変更
【補正の内容】
【特許請求の範囲】
【請求項１】  オープン領域内に複数の作業ゾーンを形成するシステムであって、
基面から上方に延びる複数の間隔を隔てた支柱で形成されるフレーム構造を有し、前記支柱は立っているユーザより実質的に高い高さで複数の横ビームによって互いに連結され、前記横ビームは、２つの横ビームからなる殆どの群が鈍角を形成するように、前記支柱に取り付けられるようになっており、実質的に非剛性の複数のバリヤ部材が、前記複数の間隔を隔てた支柱の少なくとも幾つかの間に延び、前記支柱の少なくとも幾つかは利便性提供のための通路を提供するようになっており、前記フレーム構造は、複数の実質的に非直線のパターンに配置されることができる、
システム。
【請求項２】  ３本の支柱群が１２０°の角度で配置される、請求項１記載のシステム。
【請求項３】  少なくとも幾つかの前記支柱は、作業面、保管部材、モニタ支持部材および分割スクリーンからなる群から選択された作業環境要素に取り付けることができるようになっている、請求項２記載のシステム。
【請求項４】  １つ以上の基面マットを更に有する、請求項３記載のシステム。
【請求項５】  前記マットは湾曲部分を有する、請求項４記載のシステム。
【請求項６】  複数の脚を備えた可動作業面を更に有し、前記脚の底部にはホイールが取り付けられている、請求項５記載のシステム。
【請求項７】  前記可動作業面は、垂直方向および角度方向の両方を調節できる頂面を有する、請求項６記載のシステム。
【請求項８】  １つ以上の横ビームが、枢動可能かつ長さ調節可能である、請求項７記載のシステム。
【請求項９】  前記支柱は、３つの別個の、全体として湾曲した部分を備える外面を有する、請求項８記載のシステム。
【請求項１０】  垂直方向に延びるチャンネルが、前記全体として湾曲した３つの部分の各々を分離する、請求項９記載のシステム。
【請求項１１】  前記垂直方向に延びるチャンネルの少なくとも１つが、作業環境要素から延びるフック取付け部材を受け入れるようになっている、請求項１０記載のシステム。
【請求項１２】  前記フック取付け部材は、作業面を支柱に取り付けるようになっている、請求項１１記載のシステム。
【請求項１３】  前記垂直方向に延びるチャンネルがあり溝形状を有している、請求項１２記載のシステム。
【請求項１４】  前記支柱は、実質的に６フィートより大きい高さを有する、請求項１３記載のシステム。
【請求項１５】  前記支柱の少なくとも幾つかに取り付けられるようになった複数の作業面を更に有する、請求項２記載のシステム。
【請求項１６】  作業面に隣接して前記支柱の少なくとも幾つかに取り付けられる複数の電力リセプタクルを更に有する、請求項２記載のシステム。
【請求項１７】  複数の可動作業面を更に有する、請求項２記載のシステム。
【請求項１８】  前記複数の可動作業面は、前記複数の作業面より実質的に低い高さを有する、請求項２６記載のシステム。
【請求項１９】  前記バリヤ部材は一般的に軽量材料で形成されている、請求項２記載のシステム。
【請求項２０】  前記バリヤが吸音能力を有する、請求項１９記載のシステム。
【請求項２１】  前記バリヤは縫合可能材料で形成されている、請求項２１記載のシステム。
【請求項２２】  保管部材を有し、該保管部材の少なくとも一部は非剛性材料で形成されている、請求項２１記載のシステム。
【請求項２３】  前記保管部材の少なくとも幾つかは、前記フレーム構造に枢動可能に取り付けられている、請求項２２記載のシステム。
【手続補正書】
【提出日】平成18年10月20日(2006.10.20)
【手続補正１】
【補正対象書類名】明細書
【補正対象項目名】特許請求の範囲
【補正方法】変更
【補正の内容】
【特許請求の範囲】
【請求項１】  アフィニティ分離の方法であって、
（ａ）標的分析対象物を含む試料を準備する工程、
（ｂ）固定化タンパク質を含むマトリックスを準備する工程、ここで該固定化タンパク質は、（ｉ）アルカリ性条件下における該タンパク質の安定性を高めそして（ii）該タンパク質を標的分析対象物に結合させる、１つ以上の修飾を含み、そしてここでの１つ以上の修飾は、
（１）タンパク質中の１つ以上のＡｓｎ残基の欠失；
（２）タンパク質中の１つ以上のＡｓｎ残基の、アルカリ性条件への感受性がより低いアミノ酸による置換；
（３）タンパク質中の１つ以上のＡｓｎ残基の化学的修飾；および
（４）それらの組み合わせ
からなる群より選択される、
（ｃ）上記試料および上記マトリックスを接触させる工程、ここで標的分析対象物は固定化タンパク質に結合する、および
（ｄ）上記標的分析対象物を上記マトリックスから単離させる工程
を含む、方法。
【請求項２】  アフィニティリガンドのＡｓｎ残基の１つ以上を修飾することによる、アフィニティリガンドを安定化する方法。
【請求項３】  タンパク質分子のコンビナトリアルライブラリーを調製する方法であって、タンパク質がランダム化される前に、タンパク質のＡｓｎ残基の１つ以上を修飾することにより、当該タンパク質がアルカリ性のｐＨにより低い感受性を示すように変えられている、方法。
【請求項４】  ファージディスプレイの方法であって、ファージ表面上で発現したタンパク質が、タンパク質の結合特性を修飾するために導入された修飾とは別個のある工程において修飾された１つ以上のＡｓｎ残基を有している、方法。
【請求項５】  安定化されたコンビナトリアルタンパク質を作る方法であって、
ａ） アルカリ性条件におけるタンパク質の安定性を高めるための、タンパク質分子中のＡｓｎ残基の修飾工程、及び
ｂ） タンパク質の結合特性を修飾するための、タンパク質分子のランダム化工程
を含む、方法。
【請求項６】  ランダム化工程とは別個のある工程において、タンパク質のＡｓｎ残基の１つ以上を修飾することにより、アルカリ性条件におけるタンパク質の安定性が高められている、コンビナトリアルタンパク質。
【請求項７】  １つ以上の天然のＡｓｎ残基が修飾されている第一の部分と、その特異的結合特性のために選択されたランダム化されたタンパク質分子である第二の部分とを含む、融合タンパク質。
【請求項８】  リガンド又はタンパク質中の１つ以上のＡｓｎ残基が、アルカリ感受性がより低いアミノ酸によって置換されている、請求項１乃至７のいずれか一項に記載の方法又はタンパク質。
【請求項９】  ２つ以上のＡｓｎ残基が修飾されている、請求項１乃至８のいずれか一項に記載の方法又はタンパク質。
【請求項１０】  Ａｓｎ残基すべてが修飾されている、請求項１乃至９のいずれか一項に記載の方法又はタンパク質。
【請求項１１】  リガンド又はタンパク質の三次元構造の表面のＡｓｎ残基が修飾されている、請求項１乃至１０のいずれか一項に記載の方法又はタンパク質。
【請求項１２】  Ａｓｎ残基が、リジン、アスパラギン酸及びロイシンから選択されたアミノ酸で置換されている、請求項１乃至１１のいずれか一項に記載の方法又はタンパク質。
【請求項１３】  アフィニティリガンドがコンビナトリアルタンパク質である、請求項１、２又は８乃至１２のいずれか一項に記載の方法。
【請求項１４】  ｃ）ランダム化されたアフィニティリガンドを、表面ディスプレイライブラリーにおける発現によって選択する工程、をさらに含む請求項５又は１３に記載の方法。
【請求項１５】  アフィニティリガンドが、表面ディスプレイライブラリーにおける発現によって選択されたランダム化タンパク質である、請求項１３に記載の方法。
【請求項１６】  コンビナトリアルタンパク質が、免疫グロブリン分子あるいはその断片又は誘導体、ブドウ球菌のタンパク質Ａ（ＳＰＡ）あるいはその断片、ドメイン又は誘導体、又は、ＤＮＡ結合タンパク質あるいはその断片又はドメインに由来する、請求項１３乃至１５のいずれか一項に記載の方法。
【請求項１７】  コンビナトリアルタンパク質が、ドメインＺ（ＳＰＡのＢドメインの誘導体）又はその誘導体である、請求項１６に記載の方法。
【請求項１８】  アフィニティリガンドが、アルブミン結合タンパク質（ＡＢＤ）あるいはその断片又は誘導体を含む、請求項１乃至１７のいずれか一項に記載の方法。
【請求項１９】  アフィニティ分離法で使用するのに適している、１つ以上の天然のＡｓｎ残基が、アルカリ感受性がより低いアミノ酸で置換されている、アルブミン結合タンパク質（ＡＢＤ）あるいはその断片又は誘導体。
【請求項２０】  第一の部分がＡＢＤであり、第二の部分がドメインＺ（ＳＰＡのＢドメインの誘導体）又はその誘導体であって、アフィニティ分離法で使用するのに適している、請求項７に記載の融合タンパク質。
【請求項２１】  コンビナトリアルタンパク質が、免疫グロブリン分子あるいはその断片又は誘導体、ブドウ球菌のタンパク質Ａ（ＳＰＡ）あるいはその断片、ドメイン又は誘導体、又はＤＮＡ結合タンパク質あるいはその断片又はドメインに由来する、請求項６又は７に記載のタンパク質。
【請求項２２】  コンビナトリアルタンパク質が、ドメインＺ（ＳＰＡのＢドメインの誘導体）又はその誘導体を含む、請求項２１に記載のタンパク質。
【請求項２３】  アフィニティリガンドが、アルブミン結合タンパク質（ＡＢＤ）あるいはその断片又は誘導体を含む、請求項６、７、２１又は２２のいずれか一項に記載のタンパク質。
【請求項２４】  請求項６、７、８乃至１２又は２１乃至２３のいずれか一項において定義されたタンパク質をコードする核酸分子。
【請求項２５】  請求項６、７、８乃至１２又は２１乃至２３のいずれか一項において定義されたタンパク質を発現する宿主細胞。
【手続補正書】
【提出日】平成18年10月6日(2006.10.6)
【手続補正１】
【補正対象書類名】明細書
【補正対象項目名】特許請求の範囲
【補正方法】変更
【補正の内容】
【特許請求の範囲】
【請求項１】  複数の組立エレメントを具備している玩具組立セットであって、各組立エレメントは、ヒンジ部が設けられており、該ヒンジ部は、第１のタイプのヒンジ部及び第２のタイプのヒンジ部からなっており、該第１及び第２のタイプのヒンジ部は、これらが組立エレメントの間のヒンジリンクを形成するよう、２つの組立エレメントにおける該ヒンジ部が解放可能に相互接続され得るような態様で相補的に付形されており、もって、該組立エレメントは、該ヒンジリンクによって定められる該共通ヒンジ軸の周りで相互に回動させられ得る、玩具組立セットにおいて、
該第１のタイプのヒンジ部が、該共通ヒンジ軸から特定の距離を置いて配設されている歯部を有しており、
該第２のタイプのヒンジ部が、該共通ヒンジ軸から該特定の距離を置いて配設されている歯部を設けられている第１グループと、そのような歯部を設けられていない第２グループのヒンジ部とからなっており、
該ヒンジ部が相互接続される際に、該第１のタイプのヒンジ部における該歯部と該第２のタイプのヒンジ部の該第１グループにおける該歯部とが、これらが互いに他方と係合するような態様で、互いに他方へ反対方向に向けられる、
ことを特徴とする玩具組立セット。
【請求項２】  相補的に付形されているヒンジ部のうちの少なくとも１つのヒンジ部が、ヒンジ部の相互接続又は分離によって強制的に弾性的に変形させられるような態様で、それらのヒンジ部が、付形されていることを特徴とする請求項１の玩具組立セット。
【請求項３】  前記相補的に付形されているヒンジ部における前記歯部が、所定の形状及び高さの歯を有しており、且つ、２つの組立エレメントの、前記共通ヒンジ軸の周りでの、互いに他方に対する回転により、該相補的なヒンジ部によって相互接続されている該２つの組立体エレメントにおける該相補的なヒンジ部が分離されないように、該相補的に付形されているヒンジ部が、これらが該共通ヒンジ軸に対してある距離だけ移動させられ得るような態様で配設されており、前記距離は、該歯の高さよりも大きいことを特徴とする請求項２の玩具組立セット。
【請求項４】  前記第１のタイプのヒンジ部が、相互距離を有している２つの雌フランジを具備しており、もって、該第１のタイプのヒンジ部における該２つの雌フランジの各々は、２つのフランジのうちの他方のフランジにおける対応雌側面に面している実質的に平坦な雌側面を有しており、且つ、該２つの雌フランジは、該雌側面によって画成されている空間を形成しており、前記雌側面は、実質的に平行であると共に、前記共通ヒンジ軸に垂直に向けられていることを特徴とする請求項１乃至請求項３のいずれか一項の玩具組立セット。
【請求項５】  前記第２のタイプのヒンジ部が、前記２つの実質的に平坦で相互に平行な雄側面を形成しており、これらの雄側面は、前記第１のタイプのヒンジ部における前記２つの雌フランジ上の前記２つの雌側面の間に挿入され得、且つ、該第１のタイプのヒンジ部における該雌側面及び該第２のタイプのヒンジ部における該雄側面が、相補的に付形されているピン及び穴であって、該ヒンジ部が相互接続されると前記ヒンジ軸を定めるピン及び穴が設けられていることを特徴とする請求項４の玩具組立セット。
【請求項６】  前記第２のタイプのヒンジ部が、単一の雄フランジによって形成されており、その単一の雄フランジに、前記２つの雄側面が、互いに反対方向に面するようにして設けられていることを特徴とする請求項４又は請求項５の玩具組立セット。
【請求項７】  前記雌フランジが、組立エレメントに、一方の端部において固定されていると共に、それらが位置する該組立エレメントから離れる方向に面している端部に配設されている歯部を有し、且つ、該歯部が、共通ヒンジ軸にその中心を有している円弧上に配設されている複数の歯からなり、各歯は、前記共通ヒンジ軸から離れる方向に面していることを特徴とする請求項４乃至請求項６のいずれか一項の玩具組立セット。
【請求項８】  前記第２のタイプのヒンジ部における前記歯部が、各雄側面と整合させられ、且つ前記共通ヒンジ軸に面している複数の歯により形成されていることを特徴とする請求項６の玩具組立セット。
【請求項９】  前記第２のタイプのヒンジ部における前記歯部が、１つ又は２つの歯によって形成され、且つ、前記第１のタイプのヒンジ部における前記歯部が、多数の歯によって形成されることを特徴とする請求項１乃至請求項８のいずれか一項の玩具組立セット。
【請求項１０】  前記第１のタイプのヒンジ部における前記歯部が、９０°超の、好ましくは１８０°以上の円弧上に延在することを特徴とする請求項９の玩具組立セット。
【請求項１１】  前記第２のタイプのヒンジ部の他のグループが、２つの組立エレメントの相互接続に続いて、前期相補的に配置されているヒンジエレメントに当接するような態様で配設されている摩擦を増大させるエレメントを有していることを特徴とする請求項１乃至請求項１０のいずれか一項の玩具組立セット。
【手続補正書】
【提出日】平成18年5月31日(2006.5.31)
【手続補正１】
【補正対象書類名】明細書
【補正対象項目名】特許請求の範囲
【補正方法】変更
【補正の内容】
【特許請求の範囲】
【請求項１】  約１．０より大きい比重、水晶体の屈折力を回復させるために適する屈折率および標準カニューレを通して注入するために適する粘度を有し、架橋反応によって眼内レンズを製造するために適するポリシロキサン。
【請求項２】  屈折率は１．３８２〜約１．６０の間の範囲である請求項１に記載のポリシロキサン。
【請求項３】  比重が約１．０より大きい少なくとも一種のシロキサンモノマーを含む請求項２に記載のポリシロキサン。
【請求項４】  少なくとも一種のシロキサンモノマー−ＲａＲｂＳｉＯ−（式中、ＲａおよびＲｂは、少なくとも一方が一個または数個のフッ素原子で置換されている同じか異なるアルキル基またはフェニル基である）を含む請求項３に記載のポリシロキサン。
【請求項５】  フルオロアルキル（アルキル）シロキサンモノマーを含む請求項４に記載のポリシロキサン。
【請求項６】  トリフルオロプロピルメチルシロキサンモノマーを含む請求項５に記載のポリシロキサン。
【請求項７】  三種以上のシロキサンモノマー単位のターポリマー以上の高次のポリマーである請求項１〜６のいずれか１項に記載のポリシロキサン。
【請求項８】  アリールシロキサンモノマーを含む請求項３〜７のいずれか１項に記載のポリシロキサン。
【請求項９】  メチルシロキサンおよび置換メチルシロキサン、フェニルシロキサンおよびトリフルオルプロピルシロキサンを含む請求項８に記載のポリシロキサン。
【請求項１０】  ａ）ジメチルシロキサン、
ｂ）メチルフェニルシロキサンまたはジフェニルシロキサン、
ｃ）トリフルオロプロピルメチルシロキサンモノマー
との本質的にターポリマーである請求項９に記載のポリシロキサン。
【請求項１１】  少なくとも約４モル％のトリフルオロプロピルメチルシロキサンを含む請求項６に記載のポリシロキサン。
【請求項１２】  約１．０３〜１．２０の範囲内の比重および約１．３８より高い屈折率を有する請求項２〜１１のいずれか１項に記載のポリシロキサン。
【請求項１３】  請求項１〜１２のいずれか１項に記載の、約１．０より大きい比重および水晶体の屈折率に匹敵する屈折率を有するポリシロキサンと、未反応Ｓｉ−Ｈ基の適する量を有する架橋剤と触媒とを含む注入可能なレンズ材料。
【請求項１４】  比重が１．０より大きいシリコーンレンズ材料を形成する一種以上の三量体または四量体あるいはより高次の環式シロキサンモノマーを含むシロキサンモノマーであって、０．９７〜１．２８の範囲の比重を有する複数のシロキサンモノマーを含む注入可能なレンズ材料のポリシロキサンを製造するための反応混合物。
【請求項１５】  約１．４１の屈折率および約１．１の比重を有するターポリマーを製造するために前記複数のシロキサンモノマーが共重合されている請求項１４に記載の反応混合物。
【請求項１６】  前記モノマーの少なくとも一種が１．０より大きい比重を有する請求項１５に記載の反応混合物。
【請求項１７】  前記複数のシロキサンモノマーがメチルシロキサンおよび置換メチルシロキサン、フェニルシロキサンおよびトリフルオロプロピルメチルシロキサンから成る群から選択される請求項１５に記載の反応混合物。
【請求項１８】  前記複数のシロキサンモノマーが環式ジメチルシロキサンモノマー、環式ジフェニルシロキサンモノマーおよび３，３，３−トリフルオロプロピルメチルシクロトリシロキサンから本質的に成る請求項１５に記載の反応混合物。
【請求項１９】  前記複数のシロキサンモノマーが環式ジメチルシロキサンモノマー、トリフェニルトリメチルシクロシロキサンモノマーおよび３，３，３−トリフルオロプロピルメチルシクロトリシロキサンから本質的に成る請求項１５に記載の反応混合物。
【請求項２０】  請求項１４〜１９のいずれか１項に記載の反応混合物を供給する工程、
１．０より大きい比重を有するポリシロキサンを生成させるためにシロキサンモノマーを重合する工程、
重合されたシロキサンモノマーを架橋剤と触媒とを合わせた混合物として包嚢に移送する工程、及び
最終レンズに向けて前記混合物を硬化させる工程
を含む眼内レンズを製造する方法。
【請求項２１】  請求項１〜１２のいずれか１項に記載のポリシロキサンと架橋剤と触媒とを含む混合物を供給する工程と、前記混合物を型に注入する工程と、前記レンズを製造するために十分な時間にわたり任意に成形圧力下で硬化温度において前記混合物を硬化させる工程とを含む眼内レンズを製造する方法。
【請求項２２】  前記混合物を人の眼の包嚢に注入し、周囲温度で硬化させる請求項２１に記載の製造方法。
【手続補正書】
【提出日】平成18年8月8日(2006.8.8)
【手続補正１】
【補正対象書類名】明細書
【補正対象項目名】請求項１
【補正方法】変更
【補正の内容】
【請求項１】  複数の引出しのうちの１つの伸長を前記複数の引出しのうちの他の引出しが開放されたとき阻止する調節可能な引出し摺動子の連動装置であって、
最も上側の摺動子と、
最も上側の摺動子の下方に垂直方向に配置された最も下側の摺動子と、
最も上側の摺動子と最も下側の摺動子との間に垂直方向に配置された少なくとも１つの中間摺動子であって、最も上側、最も下側及び中間の摺動子の各々がユニットハウジングに取付ける静止部材と、静止部材に摺動可能に連結された中間部材と、前記引出しの１つに取付けるための中間部材に摺動可能に連結された伸縮部材とを具備し、伸縮部材が静止部材の前端から伸長可能となっている、少なくとも１つの中間部材と、
少なくとも１つの中間摺動子の静止部材の該前端に対向しかつ該前端の近くに移動するよう摺動自在に取付けられた上側及び下側のアクチュエータ従動子と、
最も下側の摺動子の静止部材の前端の近くに摺動可能に取付けられた上側アクチュエータ従動子と、
最も上側の摺動子の静止部材の前端の近くに摺動可能に取付けられた下側アクチュエータ従動子と、
中間摺動子の中間部材の前端に連結されたアクチュエータであって、本体と、本体から延び前記中間摺動子が引込んだ位置にある時中間摺動子の上側アクチュエータ従動子と係合する上側フィンガーと、上側フィンガーから離間されかつ本体から延び中間摺動子の下側アクチュエータ従動子と係合する下側フィンガーとを有し、上側及び下側のフィンガーが前記中間摺動子が引込められた位置にある時に中間摺動子の伸縮部材の前端を越えて延び、中間摺動子の上側アクチュエータ従動子が前記上側フィンガーに係合しこれを前記中間摺動子の伸縮部材の伸長を阻止する位置に動かす位置へと動くことができ、中間摺動子の下側アクチュエータ従動子が前記下側フィンガーと係合しこれを前記中間摺動子の伸縮部材の伸長を阻止する位置に動かす位置へと動くことができる、中間摺動子の中間部材の前端に連結されたアクチュエータと、
最も上側の摺動子の中間部材の前端に連結されたアクチュエータであって、本体と、本体から延び最も上側の摺動子の下側アクチュエータ従動子に係合する下側フィンガーとを有し、下側フィンガーが最も上側の摺動子が引込められた位置にある時に最も上側の摺動子の伸縮部材の前端を越えて延び、前記最も上側の摺動子に取付けられた下側アクチュエータ従動子が前記下側フィンガーと係合しこれを前記最も上側の摺動子の伸縮部材の伸長を阻止する位置に動かす位置へと動くことができる、最も上側の摺動子中間部材の前端に連結されたアクチュエータと、
最も下側の摺動子の中間部材の前端に連結されたアクチュエータであって、本体と、本体から延び最も下側の摺動子の上側アクチュエータ従動子と係合する上側フィンガーとを有し、上側フィンガーが最も下側の摺動子が引込められた位置にある時に最も下側の摺動子の伸縮部材の前端を越えて延び、前記最も下側の摺動子に取付けられた上側アクチュエータ従動子が前記上側フィンガーと係合しこれを前記最も下側の摺動子の伸縮部材の伸長を阻止する位置に動かす位置へと動くことができる、最も下側の摺動子中間部材の前端に連結されたアクチュエータと、
次の摺動子に取付けられた各対の上側及び下側のアクチュエータ従動子を相互に連結するロッドであって、１つの摺動子の上側アクチュエータ従動子に取外し自在に連結された一方の端部と次の摺動子の下側アクチュエータ従動子に取外し自在に連結された他方の端部とを有し、ロッドの長さと摺動子の間の間隔とを変えることにより連動装置が異なる高さの引出しに適応できる、対の上側及び下側のアクチュエータ従動子を相互に連結するロッド、
とを具備している調節可能な引出し摺動子の連動装置。
【手続補正２】
【補正対象書類名】明細書
【補正対象項目名】請求項２
【補正方法】変更
【補正の内容】
【請求項２】  最も上側の摺動子の中間部材の前端に連結されたアクチュエータがさらに前記アクチュエータ本体から延びかつ前記最も上側の摺動子が引込んだ位置にある時前記最も上側の摺動子の伸縮部材を超えて延びる上側フィンガーを具備している請求項１に記載の連動装置。
【手続補正３】
【補正対象書類名】明細書
【補正対象項目名】請求項３
【補正方法】変更
【補正の内容】
【請求項３】  最も下側の摺動子の中間部材の前端に連結されたアクチュエータがさらに前記アクチュエータ本体から延びかつ前記最も下側の摺動子が引込んだ位置にある時前記最も下側の摺動子の伸縮部材を越えて延びる下側フィンガーを具備している請求項１に記載の連動装置。
【手続補正４】
【補正対象書類名】明細書
【補正対象項目名】請求項１６
【補正方法】変更
【補正の内容】
【請求項１６】  前端及び後端を有する最も上側の摺動子の部材と、
前端及び後端を有し、また最も上側の部材に摺動自在に連結される最も下側の摺動子の部材であって、最も上側の摺動子の部材に対し伸張可能である最も下側の摺動子の部材と；
最も下側の摺動子の部材に摺動自在に連結され、また最も下側の摺動子の部材に対し最も下側の摺動子の部材の前端を最初の伸張されない位置と後の伸張された位置との間に形成する経路に沿って伸張可能である中間摺動子の部材と、
最も下側の摺動子の部材の前端に連結されるアクチュエータであって、中間摺動子の部材が最初の位置にあるとき、最も下側の摺動子の部材の前端を超えて延び、中間摺動子の部材が最初の位置にあるとき、経路を阻止するために最も下側の摺動子の部材に対し回動できる、第１のフィンガーを具備するアクチュエータと；
最も上側の部材の前端の近くに摺動自在に連結されたアクチュエータ従動子であって、経路を阻止する位置のフィンガーと係合しフィンガーを動かす位置へと動くことができるアクチュエータ従動子、
とを具備している摺動子。
【手続補正５】
【補正対象書類名】明細書
【補正対象項目名】請求項１７
【補正方法】変更
【補正の内容】
【請求項１７】  アクチュエータはさらに、長手方向の軸線を有する本体を具備し、前記フィンガーが本体に回動自在に連結されている請求項１６に記載の摺動子。
【手続補正６】
【補正対象書類名】明細書
【補正対象項目名】請求項１８
【補正方法】変更
【補正の内容】
【請求項１８】  前記フィンガーが前記本体と一体であり、前記フィンガーが撓むことができる請求項１７に記載の摺動子。
【手続補正７】
【補正対象書類名】明細書
【補正対象項目名】請求項１９
【補正方法】変更
【補正の内容】
【請求項１９】  中間摺動子の部材が最初の位置にあるとき、中間摺動子の部材の前端を超えて軸方向に延びまた第１のフィンガーから離間し、長手方向軸線が前記第１と第２のフィンガーの間に位置していて、最も下側の摺動子の部材が最初の位置にあるとき、経路を阻止するために対応する最も下側の摺動子の部材を回動できる第２のフィンガーを、アクチュエータがさらに具備する請求項１６に記載の摺動子。
【手続補正書】
【提出日】平成18年8月28日(2006.8.28)
【手続補正１】
【補正対象書類名】明細書
【補正対象項目名】特許請求の範囲
【補正方法】変更
【補正の内容】
【特許請求の範囲】
【請求項１】  歯科用インプラントの製造方法であって、
・抜歯された歯に適合する形状の、歯根部分及び歯冠部分から成りかつ不活性の生体適合性材料で構成されたインプラントを調製する工程、
・未分化の間葉細胞の培養中の前記インプラントの歯根部分を、長手方向軸を含む形状で、カバー（１１）によって閉じられる培養皿（１０）を含み、且つ細胞培地を収容する第１の空間（２１）と培養される細胞を収容しその中にインプラントの歯根部分を浸漬する第２の空間（２２）との境界を画する多孔質壁（２０）を含み、前記壁は、インプラントの歯根部分と壁との間に０．１〜５mmの空隙を残して人工歯槽を形成するような形状を有する装置、と共に浸漬する工程、
・白亜質芽細胞及び繊維芽細胞への分化を可能にするような組成をもつ培地中の未分化の間葉細胞の培養中に、この分化及び歯根部分に対する白亜質芽細胞の付着及び第１の白亜質層及びこの白亜質に取付けられた歯槽靱帯原基の形成のために充分な時間にわたり、上述のように未分化の間葉細胞を培養する工程、
・その歯根部分に添えられた分化した組織を支持するインプラントを回収する工程、
を含む方法。
【請求項２】  間葉基幹細胞が、結合組織から除去され、１mlあたり１０5細胞という細胞密度までペトリ皿の中で予め培養され、次に、培地中でかつ培養装置内でインプラントの歯根部分と接触する、ことを特徴とする請求項１記載の方法。
【請求項３】  白亜質芽細胞及び繊維芽細胞への細胞の分化が、培地への特定の成長因子の付加又は間葉細胞の細胞分化を刺激する何らかの分子によって刺激される、請求項２記載の方法。
【請求項４】  培養が、培養装置内でのインプラントの撹拌による生理学的刺激を受けており、前記撹拌は、不活性材料上での細胞及び組織の発達を刺激する効果を有する、請求項１記載の方法。
【請求項５】  撹拌が、１〜６０秒の範囲内の周期及び０.００５〜２mmの範囲内の振幅を伴う交互運動、又は１〜６０秒の範囲内の周期を伴う回転運動である、ことを特徴とする請求項４記載の方法。
【請求項６】  操作され、その後口の中に設置することができるようステント（３２）が上に固定されている歯冠部分と歯根部分（３１）とによって構成された歯科用インプラント（３０）を調製するための細胞培養装置であって、
・長手方向軸を含む形状をもつ培養皿（１０）を含み、
・前記培養皿はカバー（１１）により閉じられ、細胞培地を収容する第１の空間（２１）と培養される細胞を収容し、その中にインプラントの歯根部分が浸漬される第２の空間（２２）との境界を画する多孔質壁（２０）を含み、前記壁は、インプラントの歯根部分と壁との間に０.１〜５mmの空隙を残して人工歯槽を形成するような形状を有する、細胞培養装置。
【請求項７】  カバー（１１）の中央部分が、インプラントと一体を成しているステント（３２）を固定するための手段を含む、請求項６記載の装置。
【請求項８】  ５〜６０秒の範囲内の周期と０.００５〜２mmの範囲内の振幅とを伴う交互運動を用いて、又は１〜６０秒の範囲内の周期を伴う回転運動で、前記人工歯槽内でインプラントを撹拌するための手段をさらに含む、請求項６又は７記載の装置。
【請求項９】  撹拌手段が、機械式、油圧式又は磁気式であり、交互運動又は回転運動をステント（３２）に与える、請求項８記載の装置。
【請求項１０】  カバー（１１）が、交互運動を可能にするようにわずかに可とう性をもつ、請求項８記載の装置。
【請求項１１】  撹拌手段が、皿（１０）の交互運動又は回転運動により提供される、請求項８記載の装置。
【請求項１２】  多孔質壁（２０）の孔サイズが０.２〜２ミクロンの範囲内にある、請求項６〜１１のいずれか１項記載の装置。
【請求項１３】  壁（２０）が、細胞培地のレベルより上で皿（１０）に固定されている、請求項１２記載の装置。
【請求項１４】  抜歯された歯に適合する形状の不活性で生体適合性をもつ材料で構成された、請求項１〜５のいずれか１項記載の方法により得ることのできる歯科用インプラントであって、歯根部分（３１）の表面が、白亜質を形成する白亜質芽細胞及び膠原繊維でライニングされ、膠原繊維を産生する繊維芽細胞が歯槽靭帯原基を再構成する、歯科用インプラント。
【請求項１５】  溝を歯冠部分上に配置して、インプラントを口内に設置するときインプラントをその歯槽内に保持する縫合を安定化させる、請求項１４記載のインプラント。
【請求項１６】  溝を、インプラントの歯冠部分に固定された暫定的な歯冠上に直接配置することができる、請求項１５記載のインプラント。
【手続補正書】
【提出日】平成18年10月5日(2006.10.5)
【手続補正１】
【補正対象書類名】明細書
【補正対象項目名】請求項３
【補正方法】変更
【補正の内容】
【請求項３】
基部が先端面から基部まで延びたボアを有し、基部のこのボア内に伸延具の基端が収容される請求項２に記載の組立可能な構成部品のキット。
【手続補正書】
【提出日】平成18年10月6日(2006.10.6)
【手続補正１】
【補正対象書類名】明細書
【補正対象項目名】特許請求の範囲
【補正方法】変更
【補正の内容】
【特許請求の範囲】
【請求項１】  尿道プロテーゼであって、以下：
（ａ）遠位部分と閉じた遠位端とを備える管状要素であって、該遠位部分は、患者の膀胱から尿を受容するための排出孔を規定し、該管状要素は、近位端、および該排出孔から該管状要素を通って該近位端へ延びる管腔を含み、該管状要素は、拡張可能バルーンをさらに備える、管状要素；
（ｂ）該管状要素の該近位端から延びるブリッジセグメントであって、該ブリッジセグメントは、近位端を備え、かつ該患者が尿道括約筋を制御することができるように、該患者内に該プロテーゼが配置された場合に該患者の尿道括約筋を通すように適合されている、ブリッジセグメント；
（ｃ）該ブリッジセグメントの近位端から延びる要素、
を備える、尿道プロテーゼ。
【請求項２】  請求項１に記載のプロテーゼであって、前記ブリッジセグメントは、前記管状要素の近位端に接続されかつ前記要素の遠位端に接続される少なくとも１つの縫合ワイヤを備える、プロテーゼ。
【請求項３】  請求項１または２に記載のプロテーゼであって、ここで、前記管状要素の外面が、その中に配置された複数の気泡を含む被膜剤を含む、プロテーゼ。
【請求項４】  前記管状要素および前記要素は、柔軟な生体適合性材料を含む、請求項１〜３のいずれかに記載のプロテーゼ。
【請求項５】  前記柔軟な生体適合性材料がシリコーンまたはシリコーンゴムを含む、請求項４に記載のプロテーゼ。
【請求項６】  前記拡張可能バルーンは、
（ａ）前記排出孔付近に配置されるか；
（ｂ）前記管状要素上に配置されるか；
（ｃ）前記管状要素の少なくとも一部分を覆って膨張可能であるか、
のうちのいずれかである、請求項１〜５のいずれかに記載のプロテーゼ。
【請求項７】  前記管状要素は、
（ａ）円形の断面；
（ｂ）Ｃ型の断面；
（ｃ）半円形の断面、
のうちのいずれかを備える、請求項１〜６のいずれかに記載のプロテーゼ。
【請求項８】  前記要素の少なくとも一部分は、管状の形状を含む、請求項１〜７のいずれかに記載のプロテーゼ。
【請求項９】  前記要素は、
（ａ）円形の断面；
（ｂ）Ｃ型の断面；
（ｃ）半円形の断面、
のうちのいずれかを備える、請求項８に記載のプロテーゼ。
【請求項１０】  請求項１〜９のいずれかに記載のプロテーゼであって：
（ａ）前記患者から該プロテーゼを除去することを補助するために、前記管状要素へ；または
（ｂ）前記患者から該プロテーゼを除去することを補助するために、前記要素へ；
のいずれかへ装着された少なくとも１つの縫合ワイヤをさらに備える、プロテーゼ。
【請求項１１】  前記少なくとも１つの縫合ワイヤは、ポリマー材料、シリコーン、金属、プラスチック、ゴム、編まれ得るフィラメントかまたはモノフィラメントのいずれかを含む、請求項２〜１０のいずれかに記載のプロテーゼ。
【請求項１２】  前記少なくとも１つの縫合ワイヤは、ポリマー材料、シリコーン、金属、プラスチック、ゴム、編まれ得るフィラメントかまたはモノフィラメントのいずれかを含む、請求項１１に記載のプロテーゼ。
【請求項１３】  尿うっ滞を処置する際に使用するためのシステムであって、該システムが、以下：
（ａ）請求項１〜１２のいずれかに記載の尿道プロテーゼ；
（ｂ）近位端、遠位端、および管腔を有する、拡張カニューレ；ならびに
（ｃ）該拡張カニューレの該遠位端へ装着され、そして該拡張カニューレの該管腔と連絡している拡張可能なバルーンであって、該バルーンが、管状要素を覆って拡張可能である、拡張可能なバルーン、
を備える、システム。
【請求項１４】  請求項１３に記載のシステムであって、該システムが、前記拡張可能なバルーン内の圧力をモニタリングするために、該拡張可能なバルーン内に配置された変換器をさらに備える、システム。
【手続補正書】
【提出日】平成18年10月4日(2006.10.4)
【手続補正１】
【補正対象書類名】明細書
【補正対象項目名】特許請求の範囲
【補正方法】変更
【補正の内容】
【特許請求の範囲】
【請求項１】  被験体の標的領域における新生脈管構造の形成を予防するための組成物であって、該組成物は、光活性剤を含み、ここで、該被験体における標的領域が照射され、該新生脈管構造の形成が、該標的領域における該新生脈管構造の形成を阻害するに十分な時間かつ十分な強度での、該光活性剤によって吸収される照射により予防され、
ここで、光活性剤の濃度ならびに放射の時間および強度は、該新生脈管構造が予防される組織が生存能を維持するものである、組成物。
【請求項２】  前記光活性剤がポルフィリン誘導体である、請求項１に記載の組成物。
【請求項３】  前記ポルフィリン誘導体が、ポルフィマーナトリウムまたはグリーンポルフィリンである、請求項２に記載の組成物。
【請求項４】  前記グリーンポルフィリンが、ＢＰＤ−ＭＡ、ＥＡ６またはＢ３である、請求項３に記載の組成物。
【請求項５】  前記照射が、５０Ｊ／ｃｍ2未満の総エネルギーである、請求項１に記載の組成物。
【請求項６】  前記被験体が、眼の新生血管形成に関連する病原性状態の危険性にある、請求項１に記載の組成物。
【請求項７】  前記被験体が、ＡＭＤの危険性にある、請求項６に記載の組成物。
【請求項８】  生存度を維持しながら新脈管形成を阻害する標的組織についてのプロトコルを同定するための方法であって、該方法は、以下：
該組織を表す細胞の実質的な二次元培養を、該細胞が細管を形成する条件下で、提供する工程；
マトリクスの一部分を培養し、そして培養物を試験プロトコルに供する工程；
マトリクスの別の部分を、試験プロトコルの非存在下で培養する工程；
マトリクスの第１の部分および第２の部分に関して、細管形成の量を評価し、そして該部分における細管形成のレベルを比較する工程；ならびに
該第１の部分および第２の部分の生存度を評価する工程であって、それにより、該試験プロトコルの非存在下で培養された該第２の部分と比較して、該試験プロトコルに供された該第１の部分における細管形成のレベルが減少すること、および該第１の部分における生存細胞のパーセンテージが、該第２の部分における生存細胞のパーセンテージの少なくとも半分であることが、該試験プロトコルを、該組織の生存度を維持しながら新脈管形成を阻害するような試験プロトコルと同定する、工程、
を包含する、方法。
【請求項９】  支持マトリクスが内皮細胞からの細管形成を支持する、請求項８に記載の方法。
【手続補正書】
【提出日】平成18年9月29日(2006.9.29)
【手続補正１】
【補正対象書類名】明細書
【補正対象項目名】特許請求の範囲
【補正方法】変更
【補正の内容】
【特許請求の範囲】
【請求項１】  ターゲットアセンブリを横切って荷電粒子ビームを移動させる方法であって、
第１期間において少なくとも第１回と第２回とにわたりターゲットアセンブリ上の第１組の位置を横切って荷電粒子ビームを移動させ、
物体を撮像するために上記第１期間において上記ターゲットアセンブリからＸ線を発生させ、
上記第１期間が、好ましくない動きによって上記物体の画像が不鮮明になるのを防止するのに充分短い方法。
【請求項２】  請求項１に記載の方法において、
上記第１回と第２回とにわたり上記ターゲットアセンブリ上の上記第１組の位置を横切って上記荷電粒子ビームを移動させた後、さらに、上記ターゲットアセンブリ上の第２組の位置を横切って上記荷電粒子ビームを移動させる方法。
【請求項３】  請求項１に記載の方法において、
第１回から第２回へ上記Ｘ線ターゲットアセンブリ上の単一位置に上記荷電粒子ビームを移動させる時間が、少なくとも５０マイクロ秒である方法。
【請求項４】  請求項１に記載の方法において、
上記第１期間が１２ミリ秒未満である方法。
【請求項５】  請求項４に記載の方法において、
上記第１期間が約４ミリ秒である方法。
【請求項６】  請求項１に記載の方法において、
上記第１組の位置と上記第２組の位置に包含される位置のうち、少なくとも１つが、同一である方法。
【請求項７】  請求項１に記載の方法において、
上記荷電粒子ビームを移動させる方法が、上記複数の位置を横切って上記荷電粒子ビームをステッピングすることによるものである方法。
【請求項８】  Ｘ線ターゲットアセンブリ上で荷電粒子ビームを偏向させる方法であって、
上記Ｘ線ターゲットの全走査域よりも小さな予め定められた領域上で、上記予め定められた領域の一部分を上記荷電粒子ビームによって励起した後、上記予め定められた領域の上記一部分と同じ部分を５０マイクロ秒以上経って励起するように、荷電粒子ビームを複数回偏向させる方法。
【請求項９】  請求項８に記載の方法において、
上記予め定められた領域上での最初の照射と最後の照射の間の時間が、約１２ミリ秒未満である方法。
【請求項１０】  請求項９に記載の方法において、
上記予め定められた領域上での最初の照射と最後の照射の間の時間が、約４ミリ秒である方法。
【請求項１１】  請求項８に記載の方法において、
上記Ｘ線ターゲット上での上記荷電粒子ビームの偏向が、複数の位置で上記荷電粒子ビームをステッピングすることを備える方法。
【請求項１２】  ターゲットアセンブリを横切って荷電粒子ビームを移動させるシステムであって、
第１期間において少なくとも第１回と第２回とにわたりターゲットアセンブリ上の第１組の位置を横切って荷電粒子ビームを移動する手段を備え、
上記第１期間が、生物体の生物学的の運動による画像のぼやけを防止するのに充分短いシステム。
【請求項１３】  請求項１２に記載のシステムにおいて、
さらに、上記第１回と上記第２回とにわたり上記ターゲットアセンブリ上の上記第１組の位置を横切って上記荷電粒子ビームを移動させた後、上記ターゲットアセンブリ上の第２組の位置を横切って上記荷電粒子ビームを移動させる手段を備えるシステム。
【請求項１４】  請求項１２に記載のシステムにおいて、
第１回から第２回へ上記Ｘ線ターゲットアセンブリ上の単一位置に上記荷電粒子ビームを移動させる時間が、少なくとも５０マイクロ秒であるシステム。
【請求項１５】  請求項１２に記載のシステムにおいて、
上記第１期間が１２ミリ秒未満であるシステム。
【請求項１６】  請求項１２に記載のシステムにおいて、
上記第１期間が約４ミリ秒であるシステム。
【請求項１７】  請求項１２に記載のシステムにおいて、
上記第１組の位置と上記第２組の位置に包含される位置のうち、少なくとも１つの位置が、同一であるシステム。
【請求項１８】  請求項１２に記載のシステムにおいて、
上記荷電粒子ビームを移動させる方法が、上記複数の位置を横切って上記荷電粒子ビームをステッピングすることによるものであるシステム。
【請求項１９】  Ｘ線ターゲット上で荷電粒子ビームを偏向させるシステムであって、
上記Ｘ線ターゲットの全走査域よりも小さな予め定められた領域上で、上記予め定められた領域の一部分を上記荷電粒子ビームによって励起した後、上記予め定められた領域の上記一部分と同じ部分を５０マイクロ秒以上経って励起するように、荷電粒子ビームを複数回偏向させるシステム。
【請求項２０】  請求項１９に記載のシステムにおいて、
上記予め定められた領域上での最初の照射と最後の照射の間の時間が、約１２ミリ秒未満であるシステム。
【請求項２１】  請求項１９に記載のシステムにおいて、
上記予め定められた領域上での最初の照射と最後の照射の間の時間が、約４ミリ秒であるシステム。
【請求項２２】  請求項１９に記載のシステムにおいて、
上記Ｘ線ターゲット上での上記荷電粒子ビームの偏向が、上記荷電粒子ビームを複数の位置でステッピングすることを備えるシステム。
【手続補正書】
【提出日】平成18年10月13日(2006.10.13)
【手続補正１】
【補正対象書類名】明細書
【補正対象項目名】特許請求の範囲
【補正方法】変更
【補正の内容】
【特許請求の範囲】
【請求項１】  ワークピースを処理するツールのロードポート上の容器内に着座された複数のワークピースの存在及び／又は位置をマッピングするシステムであって、前記ロードポートが、前記ワークピースが移送されるアクセスポートと、ポートドアとを有し、該ポートドアが、前記アクセスポートを覆うことができ、前記アクセスポートから遠ざかるように垂直方向に移動することができる、システムにおいて、
前記ポートドアに取り付けられ、前記ポートドアと共に移動するトランスミッタを有し、該トランスミッタが前記容器内にビームを伝送することができ、
前記ポートドアに取り付けられ、前記ポートドアと共に移動するレシーバを有し、該レシーバが前記ビームを受け取ることができ、前記レシーバは、該レシーバが前記ビームを受け取ったときの第１状態を指示することができ、前記レシーバは、該レシーバが前記ビームを受け取らないときの第２状態を指示することができ、
前記第１状態及び前記第２状態との間の前記レシーバの切り替えに基づいて、前記ウェーハの存在及び／又は位置を決定するための手段とを備える、
前記システム。
【請求項２】  前記ウェーハの存在及び／又は位置を決定する前記手段が、前記レシーバが前記第１状態から前記第２状態へ切り替わると前記ウェーハの位置を決定する、請求項１に記載の複数のウェーハの存在及び／又は位置をマッピングするシステム。
【請求項３】  前記ウェーハの存在及び／又は位置を決定する前記手段が、前記レシーバが前記第２状態から前記第１状態へ切り替わると前記ウェーハの位置を決定する、請求項１に記載の複数のウェーハの存在及び／又は位置をマッピングするシステム。
【請求項４】  ワークピースを処理するツールのロードポート上の容器内に着座された複数のワークピースの存在及び／又は位置をマッピングするシステムであり、前記ロードポートがアクセスポートを含み、該アクセスポートを通じて前記ワークピースが移送され、ポートドアが前記アクセスポートを覆うことができると共に該アクセスポートから遠ざかるように垂直方向に移動できることから成るシステムであって、
前記ポートドア上に取り付けられて該ポートドアと伴に移動して、前記容器内へビームを伝送することができるトランスミッタと、
前記ポートドア上に取り付けられて該ポートドアと伴に移動するレシーバであり、前記ビームを受信でき、前記ビームを受信すると第１状態を指示できると共に、ワークピースが前記ビームの前記レシーバ内への受信を妨害すると第２状態を指示できるレシーバと、
前記第１状態及び前記第２状態の間における前記レシーバの切り替えに基づいて、前記ウェーハの存在及び／又は位置を決定する手段と、
を備えるシステム。
【請求項５】  前記ポートドア上に取り付けられてそれと伴に移動する第１フィンガであり、当該第１フィンガが前記容器内へ拡張しない場合に後退位置を占有することができ、当該第１フィンガが前記容器内へ拡張する場合に拡張位置を占有することができる第１フィンガと、
前記ポートドア上に取り付けられてそれと伴に移動する第２フィンガであり、当該第２フィンガが前記容器内へ拡張しない場合に後退位置を占有することができ、当該第２フィンガが前記容器内へ拡張する場合に拡張位置を占有することができる第２フィンガと、を更に備え、
前記トランスミッタが前記第１フィンガ上に取り付けられ、前記レシーバが前記第２フィンガ上に取り付けられることから成る、請求項４に記載の複数のウェーハの存在及び／又は位置をマッピングするシステム。
【請求項６】  前記第１フィンガ及び前記第２フィンガがそれら後退位置及び拡張位置の間を能動的に駆動される、請求項７に記載の複数のウェーハの存在及び／又は位置をマッピングするシステム。
【請求項７】  前記第１フィンガ及び前記第２フィンガがそれら後退位置及び拡張位置の間を受動的に駆動される、請求項７に記載の複数のウェーハの存在及び／又は位置をマッピングするシステム。
【請求項８】  前記ビームが前記ワークピースによって阻止されない場合、前記トランスミッタからの前記ビームを受信すると共に該ビームを前記レシーバへ反射するために、前記容器内に設けられた少なくとも１つの反射性面を更に含む、請求項４に記載の複数のウェーハの存在及び／又は位置をマッピングするシステム。
【請求項９】  前記ビームが前記ワークピースによって阻止されない場合、前記トランスミッタからの前記ビームを受信すると共に該ビームを前記レシーバへ反射するために、前記容器外に設けられた少なくとも１つの反射性面を更に含む、請求項４に記載の複数のウェーハの存在及び／又は位置をマッピングするシステム。
【請求項１０】  前記トランスミッタ及び前記レシーバが前記ポートドアの上部に取り付けられている、請求項４に記載の複数のウェーハの存在及び／又は位置をマッピングするシステム。
【請求項１１】  ワークピースを処理するツールのロードポート上の容器内に着座された複数のワークピースの存在及び／又は位置をマッピングするシステムであり、前記ロードポートがアクセスポートを含み、該アクセスポートを通じて前記ワークピースが移送され、ポートドアが前記アクセスポートを覆うことができると共に該アクセスポートから遠ざかるように垂直方向に移動できることから成るシステムであって、
前記ポートドア上に取り付けられて該ポートドアと伴に移動して、前記容器内へビームを伝送することができるトランスミッタと、
前記ポートドア上に取り付けられて該ポートドアと伴に移動するレシーバであり、前記ビームが前記複数のワークピースの内の１つのワークピースから反射されると前記ビームを受信でき、当該レシーバが前記ビームを受信すると第１状態を指示できると共に、前記ビームを受信しないと第２状態を指示できるレシーバと、
前記第１状態及び前記第２状態の間における前記レシーバの切り替えに基づいて、前記ウェーハの存在及び／又は位置を決定する手段と、
を備えるシステム。